(57)【要約】【課題】ＴＶ画像内の見えづらい数字、文字等を鮮明に確認することができるＴＶ機能付き携帯電話機およびＴＶ機能付き携帯電話機の画像表示方法を提供する。【解決手段】地上デジタル放送データおよび動画配信データを受信し、視聴可能なＴＶ機能付き携帯電話機であって、ＴＶ放送画像または動画像を入力キーの位置関係とリンクさせ分割する分割手段と、分割した画像の位置に対応する入力キーを入力し、入力した該当位置の画像を配信データを元に拡大させる拡大手段とを有する。【選択図】図１
2009081483.tif 000002
【特許請求の範囲】
【請求項１】
地上デジタル放送データおよび動画配信データを受信し、視聴可能なＴＶ機能付き携帯電話機であって、
ＴＶ放送画像または動画像を入力キーの位置関係とリンクさせ分割する分割手段と、
分割した画像の位置に対応する入力キーを入力し、入力した該当位置の画像を配信データを元に拡大させる拡大手段とを有することを特徴とするＴＶ機能付き携帯電話機。
【請求項２】
前記分割手段は、数字入力キーとしての１〜９の９分割、０〜９の数字入力キー、＊および＃の１２分割を含むユーザの所望の分割数で分割を行うことを特徴とする請求項１に記載のＴＶ機能付き携帯電話機。
【請求項３】
前記拡大手段は、拡大させたＴＶ放送画像または動画像を静止させて表示するように制御することを特徴とする請求項１または２に記載のＴＶ機能付き携帯電話機。
【請求項４】
地上デジタル放送データおよび動画配信データを受信し、視聴可能なＴＶ機能付き携帯電話機の画像表示方法であって、
ＴＶ放送画像または動画像を入力キーの位置関係とリンクさせ分割する分割工程と、
分割した画像の位置に対応する入力キーを入力し、入力した該当位置の画像を配信データを元に拡大させる拡大工程とを有することを特徴とするＴＶ機能付き携帯電話機の画像表示方法。
【請求項５】
前記分割工程は、数字入力キーとしての１〜９の９分割、０〜９の数字入力キー、＊および＃の１２分割を含むユーザの所望の分割数で分割を行うことを特徴とする請求項４に記載のＴＶ機能付き携帯電話機の画像表示方法。
【請求項６】
前記拡大工程は、拡大させたＴＶ放送画像または動画像を静止させて表示するように制御することを特徴とする請求項４または５に記載のＴＶ機能付き携帯電話機の画像表示方法。
【発明の詳細な説明】
【技術分野】
【０００１】
本発明は、ＴＶ放送画像を拡大表示するＴＶ機能付き携帯電話機およびＴＶ機能付き携帯電話機の画像表示方法に関する。
【背景技術】
【０００２】
近年、地上デジタル放送（ワンセグ）などのＴＶ放送を見ることができる機能を有する携帯電話機が急速に普及し始めている。
【０００３】
現在の地上デジタル放送（ワンセグ）の配信データは、３２０×２４０画素数で配信されているが、携帯電話機の利便性の一つである小型化の制約上、３２０×２４０画素を表示できるＬＣＤ等の表示機器を搭載出来ない携帯電話機が多数存在しており、この場合、３２０×２４０画素のデータを圧縮処理して、ＬＣＤにＴＶ画像を表示させているため、例えば、野球、サッカー等のスコア表示が見えづらく、かつ、タイムリーに確認できないという煩わしさ、もどかしさがあった。
【０００４】
また、３２０×２４０画素を表示できるＬＣＤ等の表示機器を搭載出来ていても、上述した携帯電話機における小型化の制約により、ＬＣＤの１画素のサイズが非常に小さくなっているため、配信データを圧縮してなくても、上記同様に、野球、サッカー等のスコア表示が見えづらく、かつ、タイムリーに確認できないという煩わしさ、もどかしさがあった。
【０００５】
上述した背景に関連する技術を開示する。
【０００６】
特許文献１は、携帯電話などの情報端末からその情報端末が対応していない画像データを要求された場合は、自動的に情報端末が対応している画像データに変換し、画像データのデータサイズや表示サイズが大きくて情報端末で表示できない場合は、画像データサイズや表示サイズを自動的に小さく変換する。また、情報端末の表示画面が小さい場合は、単純に小さく縮小したのでは画像が小さすぎてよく見えないために画像を拡大し、部分表示するためのボタンを付加し、画像の拡大表示ができるようにする技術が開示されている。
【０００７】
特許文献２は、通常の大きさの地図画像、当該地図画像をＮ分割した分割地図画像に関する表示情報を記憶する記憶装置と、記憶装置から読み出された表示情報に基づいて通常の大きさの地図画像または分割地図画像を通常の地図画像の大きさに拡大して表示する表示装置と、表示装置に表示された通常の大きさの地図画像の中で任意の位置を指定するように操作される操作手段と、操作手段により指定された部分の地図画像を通常の地図画像の大きさに拡大するように記憶装置および／または表示装置を制御する制御装置とを備え、地図画像や写真像などの検索部分の地図画像を直感的なキー操作によって拡大表示できるようにすると共に、モニタ画面等において地図画像の閲覧操作をより簡略化できるようにする技術が開示されている。
【０００８】
特許文献３は、物体を撮像する１台のビデオカメラと、ビデオカメラから取り込んだ画像情報を基に人の動きなど監視するため、画面全体を任意サイズに縮小・圧縮処理してＰＨＳ等の無線通信を利用し動画像として伝送する手段と動画像の細部を判別するための指定領域部分の画像情報を基に任意の拡大または縮小処理してＰＨＳ等の無線通信を利用し静止画像として伝送する手段を設け、この伝送されてきた動画像と静止画像を別個の画面として表示する手段を設け、全体の監視を行なって動画像を伝送しながら同時に任意のタイミングで画面の細部を確認するための静止画像を伝送するシステムが開示されている。
【０００９】
特許文献４は、映像変換サーバが携帯電話端末から映像クリップを要求される際に、併せてカメラサーバに接続されたカメラ装置（撮像装置）の操作（パン、チルト、ズーム、逆光補正、プリセット指定等）を指示するカメラ制御シーケンスを受取るとともに、そのＰＴＺシーケンスに従って、カメラサーバを操作して取得した映像情報を携帯電話端末向けに変換し、変換後の映像情報を適切な映像クリップに分割した上で、携帯電話端末向けに提供する。ネットワーク上からソース映像データを取得し、携帯電話端末等の携帯情報端末向けに適切に提供する技術が開示されている。
【特許文献１】特開２００２−９１８６２号公報
【特許文献２】特開２００３−１７８３１８号公報
【特許文献３】特開２００４−２２１８４６号公報
【特許文献４】特開２００４−３４３１７５号公報
【発明の開示】
【発明が解決しようとする課題】
【００１０】
しかしながら、特許文献１から４のいずれもＴＶ放送画像および配信された動画像が鮮明に見ることができない際に、入力キーをＴＶ放送画像または配信された動画像と対応させて分割し、ユーザが所望する箇所の拡大表示を行うこと、自身の端末側にて画像処理を行うことに関して示唆されていない。
【００１１】
そこで、本発明は、携帯電話機に表示しているＴＶ放送画像および配信された動画像を数字入力キーの位置関係とリンクさせ分割し、ユーザが希望する画像拡大位置に該当する数字入力キーを入力するＴＶ機能付き携帯電話機およびＴＶ機能付き携帯電話機の画像表示方法を提供することを目的とする。
【課題を解決するための手段】
【００１２】
本発明の第１のＴＶ機能付き携帯電話機は、地上デジタル放送データおよび動画配信データを受信し、視聴可能なＴＶ機能付き携帯電話機であって、ＴＶ放送画像または動画像を入力キーの位置関係とリンクさせ分割する分割手段と、分割した画像の位置に対応する入力キーを入力し、入力した該当位置の画像を配信データを元に拡大させる拡大手段とを有することを特徴とする。
【００１３】
本発明の第１のＴＶ機能付き携帯電話機の画像表示方法は、地上デジタル放送データおよび動画配信データを受信し、視聴可能なＴＶ機能付き携帯電話機の画像表示方法であって、ＴＶ放送画像または動画像を入力キーの位置関係とリンクさせ分割する分割工程と、分割した画像の位置に対応する入力キーを入力し、入力した該当位置の画像を配信データを元に拡大させる拡大工程とを有することを特徴とする。
【発明の効果】
【００１４】
本発明によれば、地上デジタル放送などのＴＶ放送および配信された動画像を見ることができる機能を有する携帯電話機に関して、ＴＶ放送画像または配信された動画像を数字入力キーの位置関係とリンクさせ分割し、該当位置の画像を配信データを元に拡大し、ＴＶ画像表示エリアに表示させることで、ＴＶ画像内の見えづらい数字、文字等を鮮明に確認することができるＴＶ機能付き携帯電話機およびＴＶ機能付き携帯電話機の画像表示方法を提供することを可能とする。
【発明を実施するための最良の形態】
【００１５】
本発明に係るＴＶ機能付き携帯電話機は、以下を実現することを目的とする。
【００１６】
携帯電話機に表示しているＴＶ放送画像または動画像を数字入力キーの位置関係とリンクさせて分割し、ユーザが希望する画像拡大位置に該当する数字入力キーを入力することにより、その該当位置の画像を配信データを元に拡大し、ＴＶ画像表示エリアに表示させることで、ＴＶ画像内の見えづらい数字、文字等を鮮明に確認することができるようにする。
【００１７】
上記を実現するためのＴＶ機能付き携帯電話機の好適な構成について図１を用いて次に説明する。
【００１８】
図１において、本発明に係るＴＶ機能付き携帯電話機１００は、無線ブロック１１０、ベースバンドブロック１１１、ＴＶ画像分割部１１２、ＴＶ画像拡大部１１３および電池１１４を有する。
【００１９】
特に本発明において、分割手段としてのＴＶ画像分割部１１２と、拡大手段としてのＴＶ画像拡大部１１３を有することを特徴とする。
【００２０】
ＴＶ画像分割部１１２は、携帯電話機がＴＶ放送を受信し、ＬＣＤ部にＴＶ画像を表示しているか否かを検出する。
【００２１】
ＴＶ画像分割部１１２は、ＴＶ画像を表示していると判断した場合は、一例としてＴＶ画像を数字入力キーの１から９の位置関係とリンクさせるように９分割し、かつ、ＴＶ画像拡大部１１３を起動する。
【００２２】
前記拡大部１１３は、ユーザにより、数字入力キー：１〜９が入力されることを監視し、一例として、ユーザにより、数字入力キー：３が入力されたと判断した場合は、前記分割部１１２が９分割した画像エリアの３に該当する箇所の画像をＴＶ画像表示エリア全体に配信データを元に拡大して表示する動作を実施する。
【００２３】
上記回路構成により、本発明の携帯電話機では、ＴＶ放送画像を数字入力キー：１から９の位置関係とリンクさせ９分割し、ユーザが希望する画像拡大位置に該当する数字入力キーを入力することにより、その該当位置の画像を配信データを元に拡大させることが可能となる。
【００２４】
（第１実施形態）
上述した構成を有するＴＶ機能付き携帯電話機を好適に実施する実施形態について説明する。
以下に示す実施の形態は、本発明を実施する好適な一例であって、これに限定されることない。
また、以下に示す用語は、その要旨を逸脱しない範囲内において当業者が修正や代用を行い、種々の変更を施し、構築することを可能とする。
【００２５】
本実施形態に係るＴＶ機能付き携帯電話機について図１、図２および図３を用いて説明する。
図１は、本実施形態に係るＴＶ機能付き携帯電話機の構成を示すブロック図である。
図２は、本実施形態に係るＴＶ機能付き携帯電話機におけるＬＣＤ表示を示す図である。
（ａ）は、ＬＣＤ１２０内のＴＶ画像表示例を示す。
（ｂ）は、ＴＶ画像部をキー１２３内に存在する数字入力キー：１から９の位置関係とリンクさせるように９分割した分割例を示す。
（ｃ）は、９分割した画像エリアの３に該当する箇所の画像をＬＣＤ１２０内のＴＶ画像表示エリア全体に配信データを元に拡大して表示した場合の一例を示す。
図３に、キー１２３内に存在する数字入力キー：１から９の配置例を示す。
【００２６】
図１において、電池１１４は、ＴＶ機能付き携帯電話機１００に電源を供給する充電可能な２次電池である。ベースバンドブロック１１１は、無線ブロック１１０を制御し、受信待受けおよび送信等の通信、および、本携帯電話機の全体を制御する。
【００２７】
更にベースバンドブロック１１１は、ＴＶ放送画像などを表示できるＬＣＤ１２０、記憶部１２２、数字入力キー：０〜９を含むキー１２３の制御や、カメラ１２１等のアプリケーションの制御も行う。
【００２８】
ＴＶ画像分割部１１２は、ＴＶ機能付き携帯電話機１００がＴＶ放送を受信し、ＬＣＤ１２０にＴＶ画像を表示しているか否かを検出する。
【００２９】
ＴＶ画像分割部１１２は、ＴＶ画像を表示していると判断した場合は、ＴＶ画像をキー１２３内に存在する数字入力キー：１から９の位置関係とリンクさせるように９分割し、かつ、ＴＶ画像拡大部１１３を起動する。
【００３０】
前記拡大部１１３は、ユーザにより、前記キー１２３内の数字入力キー：１〜９が入力されることを監視し、一例として、ユーザにより、数字入力キー：３が入力されたと判断した場合は、前記分割部１１２が９分割した画像エリアの３に該当する箇所の画像をＬＣＤ１２０内のＴＶ画像表示エリア全体に配信データを元に拡大して表示する動作を実施する。
【００３１】
図２（ａ）に、ＬＣＤ１２０内のＴＶ画像表示例を示し、図２（ｂ）に、ＴＶ画像部をキー１２３内に存在する数字入力キー：１から９の位置関係とリンクさせるように９分割した分割例を示し、図２（ｃ）に、ユーザにより、数字入力キー：３が入力された場合、９分割した画像エリアの３に該当する箇所の画像をＬＣＤ１２０内のＴＶ画像表示エリア全体に配信データを元に拡大して表示した場合の一例を示す。
図３に、キー１２３内に存在する数字入力キー：１から９の配置例を示す。
【００３２】
次に上述した実施形態に係るＴＶ機能付き携帯電話機１００の処理について図１、図２および図３を用いて詳細に説明する。
【００３３】
図１に示すように、ＴＶ機能付き携帯電話機１００では、衆網基地局や家庭用親機からの無線信号を無線ブロック１１０によって復調される。
【００３４】
無線ブロック１１０の出力信号は、音声信号または制御信号としてベースバンドブロック１１１に入力される。
【００３５】
このうち、音声信号は、音声処理されて音声として出力される。制御信号は、ベースバンドブロック１１１内の処理に用いられる。
【００３６】
ベースバンドブロック１１１は、ＬＣＤ１２０、数字入力キーを含むキー１２３、記憶部１２２を用い、スケジュール管理機能、電卓機能、アラーム(目覚まし)機能、ＴＶ放送表示機能を動作させ、更にカメラ１２１を動作させて静止画や動画の撮影等のアプリケーションを動作させることが可能である。
【００３７】
電池１１４はＴＶ機能付き携帯電話機１００に電源を供給する充電可能な２次電池である。
【００３８】
記憶部１２２は、音楽データ、ＴＶ放送データ、および、カメラ１２１から取り込んだ画像データを格納することができ、それらのデータは外部機器を使用することにより、携帯電話機の外部に取り出すことが可能である。
【００３９】
地上デジタル放送（ワンセグ）などのＴＶ放送データは、無線ブロック１１０により、無線信号を復調し、その出力信号は、ベースバンドブロック１１１に入力される。画像信号は、画像処理されて画像としてＬＣＤ１２０に表示され、音声信号は、音声処理されて音声として出力される。
【００４０】
ＴＶ画像分割部１１２は、ＴＶ機能付き携帯電話機１００がＴＶ放送を受信し、ＬＣＤ１２０にＴＶ画像を表示しているか否かを検出する。
【００４１】
前記分割部１１２により、ＴＶ画像を表示していると判断した場合は、ＴＶ画像をキー１２３内に存在する数字入力キー：１から９の位置関係（図３参照）とリンクさせるよう図２−ｂに示すよう９分割し、かつ、ＴＶ画像拡大部１１３を起動する。
【００４２】
前記拡大部１１３は、ユーザにより、前記キー１２３内の数字入力キー：１〜９が入力されることを監視し、一例として、ユーザにより、数字入力キー：３が入力されたと判断した場合は、前記分割部１１２が９分割した画像エリアの３に該当する箇所の画像をＬＣＤ１２０内のＴＶ画像表示エリア全体に図２（ｃ）に示すように配信データを元に拡大して表示する動作を実施する。
【００４３】
次に、本実施形態におけるＴＶ画像分割および、ＴＶ画像拡大の動作フローチャートについて、図１、図２、図３および図４を用いて説明する。
図４は、本実施形態におけるＴＶ画像分割および、ＴＶ画像拡大の動作フローチャートを示す図である。
【００４４】
まず、本発明に係るＴＶ機能付き携帯電話機は、待受状態にある（ステップＳ１０１）。
【００４５】
ステップＳ１０１の状態において、ＴＶ画像分割部１１２は、ＴＶ機能が動作しているか否かを監視する（ステップＳ１０２）。
【００４６】
ＴＶ画像分割部１１２は、ステップＳ１０２の判断において、ＴＶ機能が動作している（図２（ａ）のイメージ）と判断した場合は（ステップＳ１０２／ＹＥＳ）、自身（ＴＶ画像分割部１１２）でＴＶ画像をキー１２３内に存在する数字入力キー：１〜９の位置関係（図３のキー配置を参照）とリンクさせるようにＴＶ画像を９分割する（ステップＳ１０３）。ＴＶ画像を９分割したイメージを図２（ｂ）に示す。
【００４７】
ステップＳ１０３の処理後、ＴＶ画像分割部１１２は、ＴＶ画像拡大部１１３を起動する（ステップＳ１０４）。
【００４８】
ＴＶ画像拡大部１１３は、ユーザによって、数字入力キーが入力されたか否かを監視する（ステップＳ１０５）。
【００４９】
ステップＳ１０５の判断において、ＴＶ画像拡大部１１３は、数字入力キーが入力されていないと判断した場合（ステップＳ１０５／ＮＯ）、次の処理に進まない。
【００５０】
ステップＳ１０５の判断において、ＴＶ画像拡大部１１３は、数字入力キーが入力されたと判断した場合（ステップＳ１０５／ＮＯ）、一例として数字入力キー３が入力されたと判断された場合は（ステップＳ１０６）、前記拡大部１１３により、前記分割部１１２が９分割した画像エリアの３に該当する画像エリア３の画像を配信データを元に拡大する（ステップＳ１０７）。
【００５１】
ステップＳ１０７の処理後、前記拡大部１１３は、図２（ｃ）に示すようにＴＶ画像エリア全体に拡大画像を表示させる動作を行う（ステップＳ１０８）。
【００５２】
以上説明したように本実施形態によれば、ＴＶ機能付き携帯電話機にてＴＶ放送視聴中に、ＴＶ放送画像を数字入力キー：１から９の位置関係とリンクさせ９分割し、ユーザが希望する画像拡大位置に該当する数字入力キーを入力することにより、その該当位置の画像を配信データを元に拡大させ、画像表示エリア全体に表示することが可能となるため、ＬＣＤの画素数制限により、地上デジタル放送（ワンセグ）データを圧縮し、表示していた画像も、データ圧縮前の配信データを拡大して表示することが可能となり、一例として、野球やサッカーの点数表示など現在の画像表示では、確認出来なかったものが、容易に確認できるという効果がある。
【００５３】
また、効果の一例として、現在の地上デジタル放送（ワンセグ）データは、３２０×２４０画素サイズで配信されているが、ＴＶ機能付き携帯電話に使用されているＬＣＤ内のＴＶ画像エリアは、２４０×１８０画素に制約されている場合があり、この場合、地上デジタル放送（ワンセグ）データは、９／１６倍に圧縮され、ＬＣＤ内のＴＶ画像エリアに表示されることになり、非常に見づらい画像となるが、この発明によれば、ユーザが希望する画像拡大位置に該当する数字入力キーを入力することにより、その該当位置の画像が配信データを元に拡大しＴＶ画像エリアに表示させ、画像を確認することが可能となり、画像内の数字、文字等が容易に確認でき、かつ、より鮮明な画像を見ることができる効果となる。
【００５４】
さらに、３２０×２４０画素分をＬＣＤ内のＴＶ画像エリアとして有することができるＴＶ機能付き携帯電話機においても、携帯電話機の利便性ゆえ、ＬＣＤの１画素辺りの大きさを小さくせざるを得ないので、放送画像内の数字、文字等は非常に見づらいことがあったが、この発明によれば、前述の通り、ユーザが希望する画像拡大位置に該当する数字入力キーを入力することにより、その該当位置の画像を配信データを下に拡大し表示させることが可能となるため、画像内の数字、文字等を鮮明に確認することができるという効果がある。
【００５５】
（第２の実施形態）
次に、第２の実施形態について図１、図３、図５、図６および図７を用いて説明する。
本実施形態では、第１の実施の形態とは、別の態様で実施を行った処理について説明する。
本実施形態では、ＴＶ機能付き携帯電話機において、ＬＣＤ内のＴＶ放送画像エリアを図５のような態様にした場合、ＴＶ放送画像を数字入力キー：１から＃の位置関係とリンクさせ１２分割し、ユーザが希望する画像拡大位置に該当する数字入力キーを入力することにより、その該当位置の画像を配信データを元に拡大させる構成を取る。
本実施形態では、現在の地上デジタル放送（ワンセグ）における送信データは、３２０×２４０画素サイズで配信されており、４：３の比率であるため、今回のように１２分割し、拡大した方がより鮮明な画像を確認することができる。
図５は、本実施形態に係るＴＶ機能付き携帯電話機を示す概観図である。
図６は、本実施形態に係るＴＶ機能付き携帯電話機に係るＴＶ機能付き携帯電話機におけるＬＣＤ表示を示す図である、（ａ）は、ＬＣＤ１２０内のＴＶ画像表示例を示し、（ｂ）は、ＴＶ画像部をキー１２３内に存在する数字入力キー：０から９、＊、＃の位置関係とリンクさせるように１２分割した分割例を示し、（ｃ）は、１２分割した画像エリアの０に該当する箇所の画像をＬＣＤ１２０内のＴＶ画像表示エリア全体に配信データを元に拡大して表示した場合の一例を示す。
図７は、本実施形態に係るＴＶ機能付き携帯電話機におけるＴＶ画像拡大、分割、静止フローチャートを示す図である。
【００５６】
まず、本発明に係るＴＶ機能付き携帯電話機は、待受状態にある（ステップＳ２０１）。
【００５７】
ステップＳ１０１の状態において、ＴＶ画像分割部１１２は、ＴＶ機能が動作しているか否かを監視する（ステップＳ２０２）。
【００５８】
ＴＶ画像分割部１１２は、ステップＳ１０２の判断において、ＴＶ機能が動作している（図６（ａ）のイメージ）と判断した場合は（ステップＳ２０２／ＹＥＳ）、自身（ＴＶ画像分割部１１２）でＴＶ画像をキー１２３内に存在する数字入力キー：０から９、＊、＃の位置関係（図３のキー配置を参照）とリンクさせるようにＴＶ画像を９分割する（ステップＳ２０３）。ＴＶ画像を１２分割したイメージを図６（ｂ）に示す。
【００５９】
ステップＳ２０３の処理後、ＴＶ画像分割部１１２は、ＴＶ画像拡大部１１３を起動する（ステップＳ２０４）。
【００６０】
ＴＶ画像拡大部１１３は、ユーザによって、数字入力キーが入力されたか否かを監視する（ステップＳ２０５）。
【００６１】
ステップＳ２０５の判断において、ＴＶ画像拡大部１１３は、数字入力キーが入力されていないと判断した場合（ステップＳ２０５／ＮＯ）、次の処理に進まない。
【００６２】
ステップＳ２０５の判断において、ＴＶ画像拡大部１１３は、数字入力キーが入力されたと判断した場合（ステップＳ２０５／ＮＯ）、一例として数字入力キー３が入力されたと判断された場合は（ステップＳ２０６）、前記拡大部１１３により、前記分割部１１２が１２分割した画像エリアの０に該当する画像エリア０の画像を配信データを元に拡大する（ステップＳ２０７）。
【００６３】
ステップＳ２０７の処理後、前記拡大部１１３は、図６（ｃ）に示すようにＴＶ画像エリア全体に拡大画像を表示させる動作を行う（ステップＳ２０８）。
【００６４】
ステップＳ２０８の処理後、前記拡大部１１３は、拡大させた拡大画像を静止させて表示するように制御する（ステップＳ２０９）。
【００６５】
本実施形態では、現在の地上デジタル放送（ワンセグ）における送信データは、３２０×２４０画素サイズで配信されており、４：３の比率であるため、今回のように１２分割し、拡大した方がより鮮明な画像を確認することができる。
【００６６】
第１の実施形態、第２の実施の形態では、ＴＶ放送画像を入力キーの位置関係とリンクさせ、９および１２分割し、ユーザが希望する画像拡大位置に該当する数字入力キーを入力することにより、その該当位置を配信データを元に拡大させる構成を取ったが、分割数は、ユーザにより、任意に設定が可能で、前記任意の分割数に応じた、数字入力キーを入力することにより、その該当位置の画像を配信データを元に拡大させる構成でもよいものとする。
【００６７】
本発明では、地上デジタル放送（ワンセグ）などのＴＶ放送を見ることができる機能を有する携帯電話機に関して、ＴＶ放送画像を入力キーの位置関係とリンクさせ分割し、ユーザが希望する画像拡大位置に該当する数字入力キーを入力することにより、その該当位置の画像を配信データを元に拡大させることが可能となる構成を取ったが、動画配信データを受信し、動画を見ることができる機能を有する携帯電話機に関して、動画画像を入力キーとリンクさせて分割し、ユーザが希望する画像拡大位置に該当する数字入力キーを入力することにより、その該当位置の画像を配信データを元に拡大させることを可能とする。
【図面の簡単な説明】
【００６８】
【図１】本発明に係るＴＶ機能付き携帯電話機の構成の一例を示す図である。
【図２】第１の実施形態に係るＴＶ機能付き携帯電話機におけるＬＣＤ表示を示す図である。（ａ）は、ＬＣＤ１２０内のＴＶ画像表示例を示し、（ｂ）は、ＴＶ画像部をキー１２３内に存在する数字入力キー：１から９の位置関係とリンクさせるように９分割した分割例を示し、（ｃ）は、９分割した画像エリアの３に該当する箇所の画像をＬＣＤ１２０内のＴＶ画像表示エリア全体に配信データを元に拡大して表示した場合の一例を示す。
【図３】第１の実施形態に係るＴＶ機能付き携帯電話機における入力キーを示す図である。
【図４】第１の実施形態に係るＴＶ機能付き携帯電話機におけるＴＶ画像拡大、分割フローチャートを示す図である。
【図５】第２の実施形態に係るＴＶ機能付き携帯電話機を示す概観図である。
【図６】第２の実施形態に係るＴＶ機能付き携帯電話機に係るＴＶ機能付き携帯電話機におけるＬＣＤ表示を示す図である。（ａ）は、ＬＣＤ１２０内のＴＶ画像表示例を示し、（ｂ）は、ＴＶ画像部をキー１２３内に存在する数字入力キー：０から９、＊、＃の位置関係とリンクさせるように１２分割した分割例を示し、（ｃ）は、１２分割した画像エリアの０に該当する箇所の画像をＬＣＤ１２０内のＴＶ画像表示エリア全体に配信データを元に拡大して表示した場合の一例を示す。
【図７】第２の実施形態に係るＴＶ機能付き携帯電話機におけるＴＶ画像拡大、分割、静止フローチャートを示す図である。
【符号の説明】
【００６９】
１００    携帯電話機
１１０    無線ブロック
１１１    ベースバンドブロック
１１２    ＴＶ画像分割部（分割手段）
１１３    ＴＶ画像拡大部（拡大手段）
１１４    電池
１２０    ＬＣＤ
１２１    カメラ
１２２    記憶部
１２３    入力キー
【図１】
2009081483.tif 000003
【図２】
2009081483.tif 000004
【図３】
2009081483.tif 000005
【図４】
2009081483.tif 000006
【図５】
2009081483.tif 000007
【図６】
2009081483.tif 000008
【図７】
2009081483.tif 000009